(57)【要約】【課題】撮影時のライブビュー画像を用いて顔画像を個人認証する際の個人認証の処理時間が増加するのを防止できるようにする。【解決手段】撮影時のライブビュー画像で個人認証を行う際に、撮影時に選択する辞書データを、画像加工処理手段による顔に対する加工に応じて変更することにより、辞書データを顔加工ごとに選択できるようにする。これにより、撮影時の登録枚数を減らすことを可能として、個人認証の処理時間の増加を防ぐことができるようにする。【選択図】図３
2014115900.tif 000002
【特許請求の範囲】
【請求項１】
顔画像に補正を行う撮像装置であって、
被写体を撮影して画像データを生成して出力する撮像手段と、
前記画像データに基づいて顔を検出するとともに、前記検出した顔から器官の位置情報を検出する顔検出手段と、
前記顔に対して加工を行う画像加工処理手段と、
前記顔から特徴情報を抽出する特徴情報抽出手段と、
前記特徴情報抽出手段で抽出された特徴情報を登録人物の辞書データとして登録する辞書データ記録手段と、
前記辞書データ記録手段から個人認証で使用する辞書データを選択する辞書データ選択手段と、
前記辞書データ選択手段によって選択された辞書データに基づいて、前記画像データの顔が登録人物であるか否かを判定する認証判定手段とを備え、
前記辞書データ選択手段は、撮影時に選択する辞書データを、前記画像加工処理手段による前記顔に対する加工に応じて変更することを特徴とする撮像装置。
【請求項２】
前記辞書データ選択手段は、
前記画像加工処理手段の加工処理の種類によって辞書データを選択することを特徴とする請求項１に記載の撮像装置。
【請求項３】
前記辞書データ選択手段は、
前記画像データに前記画像加工処理手段で行った加工と同様の加工を行った辞書データを選択することを特徴とする請求項２に記載の撮像装置。
【請求項４】
前記認証判定手段は、前記辞書データ選択手段により選択された辞書データと、前記顔検出手段で検出された顔領域から、前記特徴情報抽出手段にて抽出された特徴情報とをパターンマッチングで比較して前記画像データの顔が登録人物であるか否かを判定することを特徴とする請求項１〜３の何れか１項に記載の撮像装置。
【請求項５】
顔画像に補正を行う撮像装置の制御方法であって、
被写体を撮影して画像データを生成して出力する撮像工程と、
前記画像データに基づいて顔を検出するとともに、前記検出した顔から器官の位置情報を検出する顔検出工程と、
前記顔に対して加工を行う画像加工処理工程と、
前記顔から特徴情報を抽出する特徴情報抽出工程と、
前記特徴情報抽出工程で抽出された特徴情報を登録人物の辞書データとして登録する辞書データ記録工程と、
前記辞書データ記録工程から個人認証で使用する辞書データを選択する辞書データ選択工程と、
前記辞書データ選択工程において選択された辞書データに基づいて、前記画像データの顔が登録人物であるか否かを判定する認証判定工程とを備え、
前記辞書データ選択工程は、撮影時に選択する辞書データを、前記画像加工処理工程における前記顔に対する加工に応じて変更することを特徴とする撮像装置の制御方法。
【請求項６】
前記辞書データ選択工程は、
前記画像加工処理工程の加工処理の種類によって辞書データを選択することを特徴とする請求項５に記載の撮像装置の制御方法。
【請求項７】
前記辞書データ選択工程は、
前記画像データに前記画像加工処理工程で行った加工と同様の加工を行った辞書データを選択することを特徴とする請求項６に記載の撮像装置の制御方法。
【請求項８】
前記認証判定工程は、前記辞書データ選択工程において選択された辞書データと、前記顔検出工程で検出された顔領域から、前記特徴情報抽出工程において抽出された特徴情報とをパターンマッチングで比較して前記画像データの顔が登録人物であるか否かを判定することを特徴とする請求項５〜７の何れか１項に記載の撮像装置の制御方法。
【請求項９】
顔画像に補正を行う撮像装置の制御方法の各工程をコンピュータに実行させるプログラムであって、
被写体を撮影して画像データを生成して出力する撮像工程と、
前記画像データに基づいて顔を検出するとともに、前記検出した顔から器官の位置情報を検出する顔検出工程と、
前記顔に対して加工を行う画像加工処理工程と、
前記顔から特徴情報を抽出する特徴情報抽出工程と、
前記特徴情報抽出工程で抽出された特徴情報を登録人物の辞書データとして登録する辞書データ記録工程と、
前記辞書データ記録工程から個人認証で使用する辞書データを選択する辞書データ選択工程と、
前記辞書データ選択工程において選択された辞書データに基づいて、前記画像データの顔が登録人物であるか否かを判定する認証判定工程とをコンピュータに実行させ、
前記辞書データ選択工程においては、撮影時に選択する辞書データを、前記画像加工処理工程における前記顔に対する加工に応じて変更するようコンピュータを制御することを特徴とするプログラム。
【請求項１０】
請求項９に記載のプログラムを記憶したことを特徴とするコンピュータ読み取り可能な記憶媒体。
【発明の詳細な説明】
【技術分野】
【０００１】
本発明は撮像装置及び撮像装置の制御方法に関し、特に、撮影時のライブビュー画像で個人認証行うために用いて好適な技術に関するものである。
【背景技術】
【０００２】
個人認証すべき複数の人物の顔、声、指紋などの認証要素データを予め辞書データとして記憶しておく。そして、取り込まれた個人認証対象となる個人の認証要素データと、辞書データとして記憶されている認証要素データとを比較することにより、取り込まれた個人の認証要素データが誰の認証要素データであるかを識別する個人認証手法が知られている。例えば、デジタルカメラでは被写体が映っている領域を特定し、予め登録された顔画像と比較し、一致しているか否かを判定する。この判定結果を用いてフォーカス等の制御に用いる。
【０００３】
また、個人認証とは別に、顔画像をよりきれいに見せるため、顔の器官（目、鼻、口）や肌を補正する技術が知られている。例えば、特許文献１では目を補正（修正）する画像処理方法が開示されている。
【先行技術文献】
【特許文献】
【０００４】
【特許文献１】特開２００７−１５７１７６号公報
【発明の概要】
【発明が解決しようとする課題】
【０００５】
ところで、顔画像を用いた個人認証手法において、前述のように顔画像に補正を行う場合、補正による特徴の変化が個人認証に大きな影響を与える。この問題に対し、個人認証を行う際に、比較対象となる被写体と同様の補正を予め登録された顔画像に行い、補正後の顔画像を追加で登録することで、補正による認証精度の低下を防ぐことができる。
【０００６】
しかしながら、複数の被写体が各々の補正を行った場合、追加で登録を行う補正後の顔画像のバリエーションが増加してしまう。これにより、辞書データの枚数が増加し、個人認証の処理時間が増加してしまう問題点があった。
【０００７】
また、撮影時は一定の周期でライブビュー画像が更新されるため、ライブビュー画像にて個人認証を行う場合、処理時間の増加は大きな問題となっていた。
本発明は前述の問題点に鑑み、撮影時のライブビュー画像を用いて顔画像を個人認証する際の個人認証の処理時間が増加するのを防止できるようにすることを目的とする。
【課題を解決するための手段】
【０００８】
本発明の撮像装置は、顔画像に補正を行う撮像装置であって、被写体を撮影して画像データを生成して出力する撮像手段と、前記画像データに基づいて顔を検出するとともに、前記検出した顔から器官の位置情報を検出する顔検出手段と、前記顔に対して加工を行う画像加工処理手段と、前記顔から特徴情報を抽出する特徴情報抽出手段と、前記特徴情報抽出手段で抽出された特徴情報を登録人物の辞書データとして登録する辞書データ記録手段と、前記辞書データ記録手段から個人認証で使用する辞書データを選択する辞書データ選択手段と、前記辞書データ選択手段によって選択された辞書データに基づいて、前記画像データの顔が登録人物であるか否かを判定する認証判定手段とを備え、前記辞書データ選択手段は、撮影時に選択する辞書データを、前記画像加工処理手段による前記顔に対する加工に応じて変更することを特徴とする。
【発明の効果】
【０００９】
本発明によれば、撮影時のライブビュー画像を用いた個人認証の処理時間の増加を防ぐことができる。
【図面の簡単な説明】
【００１０】
【図１】本実施形態におけるデジタルカメラの構成例を示すブロック図である。
【図２】本実施形態における個人認証辞書データに補正画像を追加登録する方法を説明するフローチャートである。
【図３】本実施形態における撮影時の補正処理を施していない辞書データを選択する場合の処理手順を説明するフローチャートである。
【図４】本実施形態における撮影時の補正処理を途中まで、若しくは全て行った辞書データを選択する場合の処理手順を説明するフローチャートである。
【発明を実施するための形態】
【００１１】
[第１の実施形態]
以下に、本発明の好ましい実施の形態を、添付の図面に基づいて詳細に説明する。
図１は、本実施形態によるデジタルカメラ１００の構成例を示すブロック図である。本実施形態のデジタルカメラ１００は、顔画像に補正を行う機能を備えている。
図１において、１０３はフォーカスレンズを含む撮影レンズ、１０１は絞り機能を備えるシャッター、１２２は光学像を電気信号に変換するＣＣＤやＣＭＯＳ素子等で構成され、画像データを生成して出力する撮像部である。
【００１２】
１２３はＡ／Ｄ変換器であり、アナログ信号をデジタル信号に変換する。Ａ／Ｄ変換器１２３は、撮像部１２２から出力されるアナログ信号をデジタル信号に変換するために用いられる。１０２はバリアであり、デジタルカメラ１００の、撮影レンズ１０３を含む撮像部を覆うことにより、撮影レンズ１０３、シャッター１０１、撮像部１２２を含む撮像系の汚れや破損を防止するために設けられている。
【００１３】
１２４は画像処理部であり、Ａ／Ｄ変換器１２３からのデータ、または、メモリ制御部１１５からのデータに対し所定の画素補間、縮小といったリサイズ処理や色変換処理を行う。また、画像処理部１２４では、撮像した画像データを用いて所定の演算処理が行われ、得られた演算結果に基づいてシステム制御部１５０が露光制御、測距制御を行う。
【００１４】
これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部１２４では更に、撮像した画像データを用いて所定の演算処理を行い、得られた演算結果に基づいてＴＴＬ方式のＡＷＢ（オートホワイトバランス）処理も行っている。
【００１５】
Ａ／Ｄ変換器１２３からの出力データは、画像処理部１２４及びメモリ制御部１１５を介して、或いは、メモリ制御部１１５を介してメモリ１３２に直接書き込まれる。メモリ１３２は、撮像部１２２によって得られＡ／Ｄ変換器１２３によりデジタルデータに変換された画像データや、表示部１２８に表示するための画像データを格納する。メモリ１３２は、所定枚数の静止画像や所定時間の動画像および音声を格納するのに十分な記憶容量を備えている。
【００１６】
また、メモリ１３２は、画像表示用のメモリ（ビデオメモリ）を兼ねている。１１３はＤ／Ａ変換器であり、メモリ１３２に格納されている画像表示用のデータをアナログ信号に変換して表示部１２８に供給する。こうして、メモリ１３２に書き込まれた表示用の画像データはＤ／Ａ変換器１１３を介して表示部１２８により表示される。表示部１２８は、ＬＣＤ等の表示器を有し、Ｄ／Ａ変換器１１３から供給されるアナログ信号に応じた表示を表示器上に行う。
【００１７】
不揮発性メモリ１５６は、電気的に消去・記録可能なメモリであり、例えばＥＥＰＲＯＭ等が用いられる。不揮発性メモリ１５６には、システム制御部１５０の動作用の定数、プログラム等が記憶される。ここでいう、プログラムとは、本実施形態にて後述する各種フローチャートを実行するためのプログラムのことである。
【００１８】
システム制御部１５０は、デジタルカメラ１００の全体動作を制御する。本実施形態においては、前述した不揮発性メモリ１５６に記録されたプログラムを実行することで、後述する本実施形態の各処理を実現する。１５２はシステムメモリであり、ＲＡＭが用いられる。システムメモリ１５２には、システム制御部１５０の動作用の定数、変数、不揮発性メモリ１５６から読み出したプログラム等を展開する。また、システム制御部１５０はメモリ１３２、Ｄ／Ａ変換器１１３、表示部１２８等を制御することにより表示制御も行う。
【００１９】
モード切り替スイッチ１６０、シャッターボタン１６１、第１シャッタースイッチ１６２、第２シャッタースイッチ１６３、操作部１７０はシステム制御部１５０に各種の動作指示を入力するための操作手段である。
【００２０】
モード切り替スイッチ１６０は、システム制御部１５０の動作モードを静止画記録モード、動画記録モード、再生モード等のいずれかに切り替える。
第１シャッタースイッチ１６２は、デジタルカメラ１００に設けられたシャッターボタン１６１の操作途中、いわゆる半押し（撮影準備指示）でＯＮとなり、第１シャッタースイッチ信号ＳＷ１を発生する。シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２１】
第２シャッタースイッチ１６３は、シャッターボタン１６１の操作完了、いわゆる全押し（撮影指示）でＯＮとなり、第２シャッタースイッチ信号ＳＷ２を発生する。システム制御部１５０は、第２シャッタースイッチ信号ＳＷ２により、撮像部１２２からの信号読み出しから記録媒体１０４に画像データを書き込むまでの一連の撮影処理の動作を開始する。
【００２２】
操作部１７０の各操作部材は、表示部１２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部１２８に表示される。利用者は、表示部１２８に表示されたメニュー画面と、４方向ボタンやＳＥＴボタンとを用いて各種設定を直感的に行うことができる。
【００２３】
１８０は電源制御部であり、電池検出回路、ＤＣ−ＤＣコンバータ、通電するブロックを切り替えるスイッチ回路等により構成され、電池の装着の有無、電池の種類、電池残量の検出を行う。また、電源制御部１８０は、その検出結果及びシステム制御部１５０の指示に基づいてＤＣ−ＤＣコンバータを制御し、必要な電圧を必要な期間、記録媒体１０４を含む各部へ供給する。
【００２４】
１３０は電源部であり、アルカリ電池やリチウム電池等の一次電池やＮｉＣｄ電池やＮｉＭＨ電池、Ｌｉ電池等の二次電池、ＡＣアダプター等からなる。１１８はメモリカードやハードディスク等の記録媒体１０４とのインターフェースである。記録媒体１０４は、メモリカード等の記録媒体であり、半導体メモリや磁気ディスク等から構成される。１７２は電源スイッチであり、電源オン、電源オフを切り替える。
【００２５】
前述したデジタルカメラ１００では、中央１点ＡＦや顔ＡＦを用いた撮影が可能である。中央１点ＡＦとは、撮影画面内の中央位置１点に対してＡＦを行うことである。顔ＡＦとは、顔検出機能によって検出された撮影画面内の顔に対してＡＦを行うことである。
【００２６】
１９０は顔検出部である。顔検出部１９０においては、画像データに含まれる被写体から、目、口等のエッジを検出して人物の顔の特徴部分を検出する。すなわち、顔が占める画像データの領域（顔位置と顔の大きさ）、顔の確からしさ（顔信頼度）から、その画像領域から顔領域を検出する顔検出処理や識別処理を実行する。また、検出された顔領域から、顔の器官（目、鼻、口等）の位置情報を検出する。
【００２７】
１９１は画像加工処理部であり、顔検出部１９０で検出された器官の位置情報に基づいて、画像データの顔領域に対し、目の拡大処理、美肌処理等の顔領域を加工する画像処理（以下、「補正処理」と呼ぶ）を、複数の種類にわたって行う。
【００２８】
１９２は特徴情報抽出部であり、顔検出部１９０で検出された顔領域及び、画像加工処理部１９１で補正処理を行った顔領域から、個人認証の際に用いる特徴情報を抽出する。
１９３は辞書データ記録部であり、照合時に用いるデータを登録人物の辞書データとして記憶している。ここで、辞書データとは、特徴情報抽出部１９２で抽出された特徴情報である。辞書データ記録部１９３は不揮発性メモリ１５６で代用することも可能である。
１９４は辞書データ選択部であり、個人認証の際に用いる辞書データを辞書データ記録部１９３から選択する。
【００２９】
１９５は認証判定部である。認証判定部１９５は辞書データ選択部１９４により選択された辞書データと、顔検出部１９０で検出された顔領域から特徴情報抽出部１９２にて抽出された特徴情報をパターンマッチングで比較する。そして、パターンマッチングで算出した類似度と予め設定した閾値とを比較する。類似度が閾値以上のときに顔検出部１９０で検出された顔領域が辞書データ記録部１９３に記憶された人物であると識別する。すなわち、個人認証成功との判定を行う。
【００３０】
なお、図１に示して説明した撮像装置の構成は一例であり、以下に説明する動作を実行できるのであれば、本発明に係る撮像装置の構成は、図１に示した構成に限定されるものではない。
【００３１】
次に、本発明の実施形態に係る撮像装置による個人認証辞書データに補正画像を追加登録する方法について、図２のフローチャートを参照して以下詳細に説明する。
処理の開始後のＳ２０１において、ユーザにより静止画記録モードが選択されたか、若しくは再生モードが選択されたかを判定する。
【００３２】
静止画記録モードが選択された場合、Ｓ２０２に進み、撮像部１２２より画像データを取得する。一方、再生モードが選択された場合、Ｓ２０３に進み、記録媒体１０４に記憶された画像データから補正処理を行う画像データを選択する。
次にＳ２０４に進み、顔検出部１９０により、Ｓ２０２若しくはＳ２０３で取得した画像データに含まれる顔に関して顔検出処理が実行される。
【００３３】
次にＳ２０５に進み、顔領域が検出されたか否かの判定を行う。顔領域が検出されなかった場合、Ｓ２０１に戻り、再度、撮像部１２２より画像データを取得する、若しくは記録媒体１０４より画像データを選択する。顔領域が検出された場合、顔領域の位置、サイズ及び、顔の器官（目、鼻、口）の位置情報を検出された顔数の分だけ取得する。また、顔検出に成功した結果として、例えば、表示部１２８において顔検出に成功していることを示す顔枠を表示する。
【００３４】
次にＳ２０６に進み、検出された顔領域から画像加工処理部１９１で補正処理を行う顔がユーザ操作に応じて選択される。
次にＳ２０７に進み、画像加工処理部１９１により選択された顔に行う少なくとも１つ以上の補正処理がユーザ操作に応じて選択される。
次にＳ２０８では、Ｓ２０７で選択された補正処理を、Ｓ２０６で選択された顔領域に対して実行する。
【００３５】
Ｓ２０９では、Ｓ２０７で選択された補正処理を辞書データ記録部１９３に登録された辞書データに対して実行する。この際、辞書データに対して実行される補正処理はＳ２０７で選択された全ての補正処理ではなく、個人認証に影響を与える補正処理のみ実行してもよい。個人認証に影響を与える補正処理とは、補正処理を施すことにより認証精度が低下する処理、若しくは個人認証で利用する情報（輝度、色度情報等）に基づいて決定することが可能である。
【００３６】
次にＳ２１０に進み、辞書データ記録部１９３に補正処理を施した辞書データを追加で記録して追加登録を行う。
次にＳ２１１に進み、画像データにＳ２０６で選択した顔以外に補正処理を行いたい顔があるか否かがユーザ操作に応じて判定される。選択した顔以外に補正処理を行いたい顔がある場合は、Ｓ２０６に戻り、再度、検出された顔領域から補正処理を行いたい顔を選択する。補正処理を行いたい顔がない場合は処理を終了する。
【００３７】
次に、本発明の実施形態に係る撮像装置による撮影時の個人認証処理と補正処理について、図３のフローチャートを参照して詳細に説明する。
ユーザにより撮影モードが選択されたのち、処理を開始する。まず、処理開始後、Ｓ３０１において、撮像部１２２より画像データを取得する。
次にＳ３０２に進み、顔検出部１９０により、Ｓ３０１で取得した画像データに含まれる顔に関して顔検出処理が実行される。
【００３８】
次にＳ３０３に進み、顔領域が検出されたか否かの判定を行う。顔領域が検出されなかった場合、Ｓ３０４に進み、表示部１２８にライブビュー画像を表示する。その後、Ｓ３０１に戻り、次の画像データを撮像部１２２より取得する。
少なくとも１つ以上の顔領域が検出された場合、顔領域の位置、サイズ及び、顔の器官（目、鼻、口）の位置情報を検出された顔数の分だけ取得し、その後Ｓ３０５に進む。
【００３９】
Ｓ３０５においては、検出された顔領域に施す補正処理が設定されているか否かを判定する。設定されていない場合、Ｓ３０６に進み、画像データから検出された顔領域のうち少なくとも１つ以上の顔領域に対して行う補正処理をユーザ操作に応じて選択される。この際、顔領域ごとに設定する補正処理を変更することも可能である。その後、Ｓ３０７に進む。設定されていた場合には、Ｓ３０５からＳ３０７に進む。
【００４０】
Ｓ３０７においては、辞書データ選択部１９４が辞書データ記録部１９３から個人認証に使用する辞書データを選択する。撮影時の場合、辞書データ選択部１９４は補正処理を施す前の辞書データを辞書データ記録部１９３から選択する。
【００４１】
Ｓ３０７で辞書データを選択後、Ｓ３０８に進み、認証判定部１９５で、Ｓ３０７で選択した辞書データを用いて、Ｓ３０２で検出した顔領域に対して個人認証を行う。ここで、個人認証の利用方法としては、個人認証の判定結果をＡＦ（オートフォーカス）処理等の制御に用いることが可能である。
【００４２】
次にＳ３０９に進み、Ｓ３０２で検出された顔領域にＳ３０６で設定された補正処理を実行する。次にＳ３１０において、全ての顔領域に補正処理を実行したか否かを判定し、画像データ中の全ての顔領域に補正処理が実行されるまでＳ３０９を繰り返し実行する。
【００４３】
次にＳ３１１に進み、Ｓ３０９で顔領域に対して補正処理を施した画像データをライブビュー画像として表示部１２８に表示する。その後、Ｓ３１２に進み、ライブビュー画面の表示が終了か否かを判定する。そして、ライブビュー画面の表示が終了するまで、最初のＳ３０１の撮像部１２２より画像データを取得からの処理を繰り返し行う。
【００４４】
[第２の実施形態]
前述した第１の実施形態では、補正処理を施していない辞書データを選択する場合の実施形態を記載したが、第２の実施形態では補正処理を途中まで、若しくは全て行った辞書データを選択する場合の処理の流れを記載する。
【００４５】
以下に、本発明の実施形態に係る撮像装置による撮影時の個人認証処理と補正処理について、図４のフローチャートを参照して以下詳細に説明する。尚、説明内容は第１の実施形態との差分に絞る。
Ｓ４０１からＳ４０６までの処理は、第１の実施形態において、図３のフローチャートで説明したＳ３０１からＳ３０６までの処理と同様である。
Ｓ４０１からＳ４０６において、顔領域ごとに補正処理を設定した後、Ｓ４０７に進み、Ｓ４０６で設定した補正処理の中から、画像データ中の全ての顔領域において共通の補正処理を少なくとも１つ選択する。共通の補正処理を選択後、画像データ中の全ての顔領域に選択した共通の補正処理を実行する。
【００４６】
次にＳ４０８に進み、辞書データ選択部１９４はＳ４０７で選択した共通の補正処理を施した辞書データを選択する。すなわち、個人認証を行う画像データに行った加工と同様の加工を行った辞書データを選択する。
次にＳ４０９に進み、認証判定部１９５で、Ｓ４０８で選択した辞書データを用いて、Ｓ４０２で検出した顔領域に対して個人認証を行う。
次にＳ４１０に進み、Ｓ４０２で検出された顔領域にＳ４０６で設定された補正処理の中から、Ｓ４０７で選択した共通の補正処理以外の補正処理を実行する。次に、Ｓ４１１において、全ての顔領域に補正処理を実行したか否かを判定し、画像データ中の全ての顔領域に補正処理が実行されるまでＳ４１０の処理を繰り返し実行する。
【００４７】
次にＳ４１２に進み、Ｓ４１０で顔領域に対して補正処理を施した画像データをライブビュー画像として表示部１２８に表示する。その後、Ｓ４１３に進み、ライブビュー画面の表示が終了か否かを判定する。そして、ライブビュー画面の表示が終了するまで、最初のＳ４０１の撮像部１２２より画像データを取得からの処理を繰り返し行う。
【００４８】
前述した実施形態によれば、撮影時のライブビュー画像で個人認証を行う際に、加工処理の種類によって辞書データを選択して登録枚数を減らすことで、個人認証の処理時間の増加を防ぐことができる。
【００４９】
（その他の実施形態）
また、本発明は、以下の処理を実行することによっても実現される。即ち、前述した実施形態の機能を実現するソフトウェア（コンピュータプログラム）を、ネットワークまたは各種のコンピュータ読み取り可能な記憶媒体を介してシステム或いは装置に供給する。そして、そのシステム或いは装置のコンピュータ（またはＣＰＵやＭＰＵ等）がプログラムを読み出して実行する処理である。
【符号の説明】
【００５０】
１００  デジタルカメラ
１０１  シャッター
１０２  バリア
１０３  撮像レンズ
１０４  記録媒体
１１５  メモリ制御部
１１３  Ｄ／Ａ変換器
１１８  Ｉ／Ｆ
１２２  撮像部
１２３  Ａ／Ｄ変換器
１２４  画像処理部
１２８  表示部
１３０  電源部
１３２  メモリ
１５０  システム制御部
１５２  システムメモリ
１５６  不揮発性メモリ
１６０  モード切り替スイッチ
１６１  シャッターボタン
１６２  第１シャッタースイッチ
１６３  第２シャッタースイッチ
１７０  操作部
１７２  電源スイッチ
１８０  電源制御部
１９０  顔検出部
１９１  画像加工処理部
１９２  特徴情報抽出部
１９３  辞書データ記録部
１９４  辞書データ選択部
１９５  認証判定部
【図１】
2014115900.tif 000003
【図２】
2014115900.tif 000004
【図３】
2014115900.tif 000005
【図４】
2014115900.tif 000006